(57)【要約】【課題】脱線車輪によるレール締結部材の破損を防止することを可能とするレール締結構造を提供する。【解決手段】レール締結構造に、ボルトにより固定され、鉄道車両の車輪を支持するレール１を下方に付勢して固定するばね部材と、前記ばね部材が装着された状態で固定され、前記ボルトが上面側に露出しないように保護する保護部材とを設ける。前記ばね部材は、ナブラ板ばね２２とする。【選択図】図１
2010007462.tif 000002
【特許請求の範囲】
【請求項１】
ボルトにより固定され、鉄道車両の車輪を支持するレールを下方に付勢して固定するばね部材と、
前記ばね部材が装着された状態で固定され、前記ボルトが上面側に露出しないように保護する保護部材と、
を備え、
前記ばね部材は一端部に近づくに従って両辺の幅が狭くなるテーパ形状とされた板状のナブラ板ばねであり、
前記保護部材の底面部には、前記ナブラ板ばねのテーパ形状とされた一端部及び前記ボルトのボルト頭を受け入れる切欠き部が形成されていることを特徴とするレール締結構造。
【請求項２】
前記保護部材の上面及び側面から成る角部は曲面状に形成されると共に、前記保護部材の高さ寸法は所定の値以上とされていることを特徴とする請求項１に記載のレール締結構造。
【発明の詳細な説明】
【技術分野】
【０００１】
本発明は、レール締結構造に関し、特に脱線車輪によるレール締結部材の破損を防止する保護部材を備えたレール締結構造に関する。
【背景技術】
【０００２】
従来から、車両（鉄道車両）が橋梁・高架橋上で地震力を受けると、その上を走行する車両は脱線する可能性があった。
【０００３】
そこで、曲線軌道あるいは分岐器のある軌道部分などにおいて、軌道の内側に脱線防止用のガードレールを設置することにより脱線防止機能を強化する手段が提案されている。また、脱線防止レールを取り付けるのが不都合な箇所、落石や降雪の多い箇所などには、安全レールを敷設し、万が一脱線した場合でもこの安全レールと基本レールによって車輪をガイドし、被害を最小限にくい止める手段が提案されている。
【０００４】
また、脱線防止レールや脱線防止ガード、安全レールなどが設置されていない軌道上を走行中に、例えば大規模地震などの自然災害や列車妨害などによって車両が脱線した場合に、その車両が軌道のまくらぎのある道床や路盤、スラブなどの上を走行するように案内することにより車両の転倒を防止する手段が提案されている（特許文献１）。
【先行技術文献】
【特許文献】
【０００５】
【特許文献１】特開平９−０７６６７９号公報
【発明の概要】
【発明が解決しようとする課題】
【０００６】
しかし、上記の脱線防止レールや安全レールはいずれも車両の脱線後もレール締結部材が破損しないことを前提に、これらのレールに車両をガイドさせて脱線自体を防止する手段であった。さらに、転覆防止のための案内も基本レール自体の破損を防止するものではなく、また基本レール以外に別途敷設が必要なものであるから設置も容易ではなかった。
【０００７】
一方、特に高速車両脱線の事例においては、脱線車輪によってレール締結部材が破損してレール締結機能を失うという問題があった。
【０００８】
本発明の課題は、脱線車輪によるレール締結部材の破損を防止することを可能とするレール締結構造を提供することにある。
【課題を解決するための手段】
【０００９】
上記課題を解決するために請求項１記載の発明は、レール締結構造であって、ボルトにより固定され、鉄道車両の車輪を支持するレールを下方に付勢して固定するばね部材と、前記ばね部材が装着された状態で固定され、前記ボルトが上面側に露出しないように保護する保護部材と、を備え、前記ばね部材は一端部に近づくに従って両辺の幅が狭くなるテーパ形状とされた板状のナブラ板ばねであり、前記保護部材の底面部には、前記ナブラ板ばねのテーパ形状とされた一端部及び前記ボルトのボルト頭を受け入れる切欠き部が形成されていることを特徴とする。
【００１０】
請求項１に記載の発明によれば、保護部材にばね部材が装着された状態で固定され、ボルトは上面側に露出しないように保護されることから、車両が脱線した場合でも、脱線車両は保護部材の上面部に落下する一方で、ボルトは保護部材によって保護される。これにより、レールの固定状態が保持される。 
【００１１】
また、ナブラ板ばねの一端部が保護部材の板ばね挿入用切欠きに挿入されて固定されることから、脱線車輪によってナブラ板ばねが衝撃を受けても、ナブラ板ばねが横方向にずれることはない。また、ナブラ板ばね及びそのナブラ板ばねを固定するボルトは保護部材によって覆われるため、脱線車輪による破損を防止することができる。
【００１２】
請求項２に記載の発明は、請求項１に記載のレール締結構造であって、前記保護部材の上面及び側面から成る角部は曲面状に形成されると共に、前記保護部材の高さ寸法は所定の値以上とされていることを特徴とする。
【００１３】
請求項２に記載の発明によれば、保護部材の上面及び側面から成る角部は曲面状に形成され、また、保護部材の高さ寸法は所定の値以上とされていることから、車両の脱線があった場合、外軌脱線した車輪のフランジは、内側が保護部材の曲面状の角部に当接した状態でレールと保護部材の内側面との間に保持されることになる。また、内軌脱線した車輪は、フランジの内側が保護部材の曲面状の角部に当接して、車輪が保護部材に載置された状態で止まる。
【発明の効果】
【００１４】
請求項１に記載の発明によれば、保護部材によってばね部材及びそのばね部材を固定するボルトの脱線車輪による破損を防止することにより、ばね部材のレール締結機能が破壊されるのを防止することができる。
【００１５】
また、脱線車輪によってナブラ板ばねが衝撃を受けても、ナブラ板ばねが横方向にずれることはない。また、ナブラ板ばね及びそのナブラ板ばねを固定するボルトは保護部材によって覆われるため、脱線車輪による破損は防止される。
【００１６】
請求項２に記載の発明によれば、外軌脱線及び内軌脱線のいずれの場合も脱線車輪がレールから大きく外れることはなく、車両の脱線による被害は最小限に抑えられる。
【図面の簡単な説明】
【００１７】
【図１】本発明の第１の実施形態に係るレール締結構造を示す断面図である。
【図２】本発明の第１の実施形態に係るタイプレート及び保護部材の構造を示す斜視図である。
【図３】本発明の第１の実施形態に係る保護部材の構造を示す斜視図である。
【図４】本発明の第１の実施形態に係る保護部材の構造を示す断面図である。
【図５】本発明の第１の実施形態に係るレール締結構造を示す平面図である。
【図６】本発明の第１の実施形態に係るタイプレート及び保護部材の構造の変形例を示す斜視図である。
【図７】本発明の第２の実施形態に係る線ばねの構造を示す斜視図である。
【図８】本発明の第２の実施形態に係る保護部材の構造を示す斜視図である。
【図９】本発明の第２の実施形態に係るレール締結構造を示す斜視図である。
【図１０】本発明の第２の実施形態に係るレール締結構造を示す断面図である。
【図１１】本発明の第２の実施形態に係る保護部材を取り外す様子を示す断面図である。
【図１２】本発明の第３の実施形態に係るナブラ板ばねの構造を示す斜視図である。
【図１３】本発明の第３の実施形態に係る保護部材の構造を示す斜視図である。
【図１４】本発明の第３の実施形態に係るレール締結構造を示す斜視図である。
【図１５】本発明の第３の実施形態に係るレール締結構造を示す断面図である。
【発明を実施するための形態】
【００１８】
以下、本発明の実施の形態について図面を参照して説明する。
【００１９】
（第１の実施形態）
図１〜図６は、本発明に係るレール締結構造の第１実施形態を示したものである。
【００２０】
図１に示すように、図示しないスラブ板の上面には、絶縁板２を介してレール１を敷設するタイプレート３が配置されている。
【００２１】
タイプレート３の上面には、各レール１を両側から保持する保持突起４が形成されている。図２に示すように、各保持突起４の上方角部には切欠き部が形成されており、その切欠き部の上面にねじ穴５が形成されている。さらに、各保持突起４の両外側端部にはねじ穴６が形成されている。また、図１及び図２に示すように、タイプレート３のレール１を挟んだ両側上面には、ほぼ矩形に形成された保護部材７が配設されるようになっている。
【００２２】
保護部材７のレール１に対向する面の下方角部には、図３に示すように、ほぼ矩形に切欠いてなるばね用切欠き部８が形成されており、ばね用切欠き部８の上部には、ボルトを締結するためのボルト用切欠き部９が形成されている。また、ばね用切欠き部８の内側には、レール１の設置方向とほぼ平行に延在する支持ピン１０が突設されている。
【００２３】
レール１を固定するための板ばね１１は、長尺状の板材料を中央部に環状空間を形成するように側面形状つ字状に曲成されており、この環状空間部分を支持ピン１０に挿入することにより、板ばね１１を支持ピン１０に対して装着するようになっている。また、板ばね１１には板ばね用ボルト挿通孔１２が形成されている。
【００２４】
また、図３に示すように、保護部材７の上面にはボルトのボルト頭受用孔１３が形成されている。さらに、図４の断面図に示すように、保護部材７にはボルト頭受用孔１３に連接してボルトを挿入するための保護部材ボルト挿通孔１４が形成されている。
【００２５】
また、保護部材７の上面及び側面から成る角部は、曲率Ｒの曲面となるように形成されている。また、保護部材７の高さ寸法は所定の値以上とされている。
【００２６】
そして、本実施形態に係るレール締結構造では、ボルト頭をボルト頭受用孔１３に落とし込んだ状態で、保護部材ボルト挿通孔１４を貫通するボルトをねじ穴６に螺合することによって、保護部材７がタイプレート３に固定されるようになっている。また、板ばね１１の環状空間部分を支持ピン１０に挿入して板ばね１１を支持ピン１０に対して装着し、板ばね１１をタイプレート３の保持突起４の切欠き部に載置して板ばね１１の先端部でレール１を押さえた状態で、板ばね用ボルト挿通孔１２を貫通するボルトをねじ穴５に螺合することによって、レール１が下方に付勢された状態で固定されるようになっている。
【００２７】
次に、本実施形態に係るレール締結構造の作用を説明する。
【００２８】
まず、タイプレート３のレール１を挟んだ両側上面に保護部材７を配置する。そして、板ばね１１を支持ピン１０に対して装着して、板ばね１１をタイプレート３の保持突起４の切欠き部に載置して板ばね１１の先端部でレール１を押さえた状態で、板ばね用ボルト挿通孔１２を貫通するボルトをねじ穴５に螺合する。これにより、板ばね１１がレール１を下方に付勢した状態で、板ばね１１がタイプレート３に固定される。また、ボルト頭をボルト頭受用孔１３に落とし込んだ状態で、保護部材ボルト挿通孔１４を貫通するボルトをねじ穴６に螺合すると、保護部材７はタイプレート３に固定される。
【００２９】
図５は、本実施形態に係るレール締結構造を上面からみた図である。レール１を挟んで保護部材７を対向させて固定することにより、板ばね１１をタイプレート３の保持突起４に固定するボルトと、保護部材７をタイプレート３に固定するボルトとが交互に現れている。このうち、板ばね１１をタイプレート３の保持突起４に固定するボルトは保護部材７のばね用切欠き部８の内部に位置しており、また、保護部材７をタイプレート３に固定するボルトのボルト頭はボルト頭受用孔１３の内部に位置している。したがって、いずれのボルトも保護部材７の上面より下方に位置している。
【００３０】
このような構成をとることにより、板ばね１１及び板ばね１１を固定するボルトは保護部材７に覆われるため、車両の脱線があった場合でも、脱線車輪は保護部材７の上面に落下する。したがって、板ばね１１及びボルトが脱線車輪によって破損することはない。また、保護部材７を固定するボルトも、ボルト頭受用孔１３によって保護部材７の上面より下方に位置することから、脱線車輪に当たることはなく、破損することはない。
【００３１】
さらに、保護部材７の上面及び側面から成る角部は曲率Ｒの曲面として形成され、保護部材７の高さ寸法は所定の値以上とされている。したがって、図１に示すように、車両の脱線があった場合、外軌脱線した車輪Ａのフランジは、内側が保護部材７の曲面状の角部に当接した状態でレール１と保護部材７の内側面との間に保持されることになる。また、内軌脱線した車輪Ｂは、フランジの内側が保護部材７の曲面状の角部に当接して、車輪Ｂが保護部材７に載置された状態で止まる。このように、外軌脱線及び内軌脱線のいずれの場合も、保護部材７がレール１の案内部材として機能することから、脱線車輪がレール１から大きく外れることはなく、車両の脱線による被害は最小限に抑えられる。
【００３２】
なお、本実施形態のレール締結構造はタイプレート３の上面にレール１を挟んで対向するように保護部材７を固定する構造であるが、図６に示すように、保護部材７及びタイプレート３を一体として保護部材１５としてもよい。
【００３３】
（第２の実施形態）
図７〜図１１は、本発明に係るレール締結構造の第２実施形態を示したものである。
【００３４】
本実施形態では、レール１を敷設する図示しないスラブ板の上面に、絶縁板２を介して板状のタイプレート３が配置されている。
【００３５】
図７は、本実施形態においてレール１を固定する線ばね１６である。線ばね１６は、線状の材料を２カ所において下方向にほぼＵ字状に曲げ、その両側を水平方向にほぼ直角に折り曲げた上で、先端部を水平方向の逆方向に折り曲げることによって形成されている。
【００３６】
また、図８は、本実施形態に係る保護部材１７である。保護部材１７はほぼ矩形に形成されている。また、保護部材１７の上面及び側面から成る角部は曲率Ｒの曲面となるように形成され、保護部材１７の高さ寸法は所定の値以上とされている。
【００３７】
また、保護部材１７の一側面には線ばね１６の両先端部を挿入する２つの線ばね挿入孔１８が形成されている。線ばね挿入孔１８は、保護部材１７の底面をタイプレート３に水平に固定した状態で、レール１の敷設される方向とほぼ垂直方向の線ばね挿入孔１８がレール１に向かって下方に傾くように角度をつけて形成されている。なお、線ばね挿入孔１８を保護部材１７の底面と水平に形成した上で、レール１に向かって線ばね挿入孔１８が下方に傾くように保護部材１７を傾けてタイプレート３に固定してもよい。さらに、２つの線ばね挿入孔１８のほぼ中間には、１つのボルト挿入孔１９が線ばね挿入孔１８と平行に形成されている。また、押さえ金具２０は略Ｔ字状に形成され、Ｔ字の上面中央付近から突設部分を貫通するボルト挿通孔２１が形成されている。
【００３８】
そして、本実施形態に係るレール締結構造では、図９に示すように、線ばね１６の２点のＵ字状の部分によってレール１が押さえられ、線ばね１６の両先端部がタイプレート３に固定された保護部材１７の線ばね挿入孔１８に挿入された状態で、線ばね１６が保護部材１７の側面からボルトで固定されるようになっている。このとき、図１０に示すように、線ばね挿入孔１８に挿入された線ばね１６の先端部はレール１に向かって下方に傾く一方で、線ばね１６のうちレール１を押さえている部分はレール１に乗る分タイプレート３の位置より上がることから、線ばね１６にねじれが生じ、レール１は線ばね１６により下方に付勢された状態で固定されるようになっている。
【００３９】
次に、本実施形態に係るレール締結構造の作用を説明する。
【００４０】
図９に示すように、線ばね１６の２点のＵ字状に曲げた部分でレール１を押さえ、線ばね１６の両先端部を保護部材１７の線ばね挿入孔１８に挿入して保護部材１７をボルトなどでタイプレート３に固定する。そして、保護部材１７の横方向から押さえ金具２０で線ばね１６を押さえた状態で、ボルト挿通孔２１を挿通するボルトを保護部材１７の線ばね挿入孔１８に挿入することにより線ばね１６を保護部材１７に固定する。すると、図１０に示すように、線ばね挿入孔１８に挿入された線ばね１６の先端部はレール１に向かって下方に傾く一方で、線ばね１６のうちレール１を押さえている部分はレール１に乗る分タイプレート３の位置より上がる。これにより、線ばね１６にねじれが生じ、レール１は線ばね１６によって下方に付勢された状態で固定される。
【００４１】
このような構成により、線ばね１６の両先端が保護部材１７の線ばね挿入孔１８に挿入されて固定されることから、脱線車輪が当たって線ばね１６が衝撃を受けても、線ばね１６が横方向にずれることはない。また、線ばね１６を保護部材１７に固定するボルトは保護部材１７の側面に固定されており、脱線車輪は保護部材１７の上面に落下するので、ボルトが脱線車輪に当たって破損することもない。また、保護部材１７の高さ寸法が所定以上の値とされており、線ばね１６は保護部材１７の上面より下方に位置することから、脱線車輪が保護部材１７の上面に落下しても、脱線車輪が線ばね１６に当たることはない。したがって、脱線車輪によって線ばね１６が破損することもない。また、図１１に示すように、バールによって押さえ金具２０のボルトを引き抜くことにより、簡単に線ばね１６を保護部材１７から取り外すことができる。
【００４２】
さらに、保護部材１７の上面及び側面から成る角部は曲率Ｒの曲面として形成され、保護部材１７の高さ寸法は所定の値以上とされている。したがって、図１０に示すように、車両の脱線があった場合、外軌脱線した車輪Ｃのフランジは、内側が保護部材１７の曲面状の角部に当接した状態でレール１と保護部材１７の内側面との間に保持されることになる。また、内軌脱線した車輪Ｄは、フランジの内側が保護部材１７の曲面状の角部に当接して、車輪Ｄが保護部材１７に載置された状態で止まる。このように、外軌脱線及び内軌脱線のいずれの場合も、保護部材１７がレール１の案内部材として機能することから、脱線車輪がレール１から大きく外れることはなく、車両の脱線による被害は最小限に抑えられる。
【００４３】
（第３の実施形態）
図１２〜図１４は、本発明に係るレール締結構造の第３実施形態を示したものである。
【００４４】
本実施形態では、レール１を敷設する図示しないスラブ板の上面に、絶縁板２を介して板状のタイプレート３が配置されている。
【００４５】
図１２は、本実施形態においてレール１を固定するナブラ板ばね２２である。ナブラ板ばね２２は、板状であって、一端部に近づくに従って両辺の幅が狭くなるテーパ形状となるように形成されている。また、ナブラ板ばね２２の中央付近には板ばね用ボルト挿通孔２３が形成されている。
【００４６】
図１３は、本実施形態に係る保護部材２４である。保護部材２４はほぼ矩形で、上面及び側面から成る角部は曲率Ｒの曲面となるように形成され、高さ寸法は所定の値以上とされている。また、底面部にはほぼ矩形状に切り欠いた板ばね挿入用切欠き２５が形成されている。また、保護部材２４のレール１に対向する側にはほぼ半円柱状に切り欠いたボルト用切欠き２６が形成されている。また、保護部材２４の上面にはボルトのボルト頭受用孔２７が形成されており、さらに、ボルト頭受用孔２７に連接してボルトを挿入するための保護部材ボルト挿通孔２８が形成されている。
【００４７】
そして、本実施形態に係るレール締結構造では、図１４に示すように、ボルト頭をボルト頭受用孔２７に落とし込んだ状態で、保護部材ボルト挿通孔２８を貫通するボルトをタイプレート３に形成されたボルト挿入孔（図示せず）に挿入することによって、保護部材２４がタイプレート３に固定されるようになっている。また、ナブラ板ばね２２の一端部でレール１を押さえて、両辺の幅が狭くなるテーパ形状の他端部を保護部材２４の板ばね挿入用切欠き２５に挿入し、板ばね用ボルト挿通孔２３に挿通したボルトをタイプレート３に形成されたボルト挿入孔（図示せず）に挿入することによって、レール１が下方に付勢された状態で固定されるようになっている。
【００４８】
次に、本実施形態に係るレール締結構造の作用を説明する。
【００４９】
図１４に示すように、ナブラ板ばね２２の一端部でレール１を押さえた状態で、両辺の幅が狭くなるテーパ形状の他端部を保護部材２４の板ばね挿入用切欠き２５に挿入する。そして、板ばね用ボルト挿通孔２３に挿通したボルトをタイプレート３のボルト挿入孔（図示せず）に挿入して、ナブラ板ばね２２の一端部によりレール１を下方に付勢した状態でナブラ板ばね２２をタイプレート３に固定する。また、ボルト頭をボルト頭受用孔２７に落とし込んだ状態で、保護部材ボルト挿通孔２８を貫通するボルトをタイプレート３のボルト挿入孔（図示せず）に挿入して保護部材２４をタイプレート３に固定する。
【００５０】
このような構成をとることにより、ナブラ板ばね２２の一端部が保護部材２４の板ばね挿入用切欠き２５に挿入されて固定されていることから、脱線車輪によってナブラ板ばね２２が衝撃を受けても、ナブラ板ばね２２が横方向にずれることはない。また、ナブラ板ばね２２は保護部材２４によって覆われるため、脱線車輪によって破損することはない。
【００５１】
また、ナブラ板ばね２２を固定するボルトは保護部材２４の上面より下がった位置にあり、保護部材２４を固定するボルトもボルト頭受用孔２７により保護部材２４の上面より下がった位置にあることから、脱線車輪によってボルトが破損することもない。
【００５２】
さらに、保護部材２４の上面及び側面から成る角部は曲率Ｒの曲面として形成され、高さ寸法は所定の値以上とされている。したがって、図１５に示すように、車両の脱線があった場合、外軌脱線した車輪Ｅのフランジは、内側が保護部材２４の曲面状の角部に当接した状態でレール１と保護部材２４の内側面との間に保持されることになる。また、内軌脱線した車輪Ｆは、フランジの内側が保護部材２４の曲面状の角部に当接して、車輪Ｆが保護部材２４に載置された状態で止まる。このように、外軌脱線及び内軌脱線のいずれの場合も、保護部材２４がレール１の案内部材として機能することから、脱線車輪がレール１から大きく外れることはなく、車両の脱線による被害は最小限に抑えられる。
【００５３】
以上詳細に説明したように本発明のレール締結構造によれば、保護部材によってばね部材及びそのばね部材を固定するボルトの脱線車輪による破損を防止することにより、ばね部材のレール締結機能が破壊されるのを防止することができる。
【００５４】
すなわち、ばね部材及びそのばね部材を固定するボルトが保護部材によって覆われることにより、あるいは、ばね部材及びそのばね部材を固定するボルトが保護部材の上面より下方に位置することにより、脱線車輪によるばね部材及びボルトの破損が防止される。
【００５５】
また、ばね部材は保護部材に固定されることから、脱線車輪によってばね部材が衝撃を受けても、横方向にずれることはない。これにより、ばね部材のレール締結機能が脱線車輪から保護される。
【００５６】
さらに、外軌脱線及び内軌脱線のいずれの場合も脱線車輪がレールから大きく外れることはなく、車両の脱線による被害は最小限に抑えられる。
【符号の説明】
【００５７】
１  レール
２  絶縁板
３  タイプレート
４  保持突起
５  ねじ穴
６  ねじ穴
７  保護部材
８  ばね用切欠き部
９  ボルト用切欠き部
１０  支持ピン
１１  板ばね
１２  板ばね用ボルト挿通孔
１３  ボルト頭受用孔
１４  保護部材ボルト挿通孔
１５  保護部材
１６  線ばね
１７  保護部材
１８  線ばね挿入孔
１９  ボルト挿入孔
２０  押さえ金具
２１  ボルト挿通孔
２２  ナブラ板ばね
２３  板ばね用ボルト挿通孔
２４  保護部材
２５  板ばね挿入用切欠き
２６  ボルト用切欠き
２７  ボルト頭受用孔
２８  保護部材ボルト挿通孔
【図１】
2010007462.tif 000003
【図２】
2010007462.tif 000004
【図３】
2010007462.tif 000005
【図４】
2010007462.tif 000006
【図５】
2010007462.tif 000007
【図６】
2010007462.tif 000008
【図７】
2010007462.tif 000009
【図８】
2010007462.tif 000010
【図９】
2010007462.tif 000011
【図１０】
2010007462.tif 000012
【図１１】
2010007462.tif 000013
【図１２】
2010007462.tif 000014
【図１３】
2010007462.tif 000015
【図１４】
2010007462.tif 000016
【図１５】
2010007462.tif 000017